(57)【要約】  切替可能な自動立体視表示装置は、第１LED表示パネル、切替不可のレンズ素子のアレイ及び第２LED表示パネルを含む。この配置は、切替可能なレンズアレイが切替可能な2D／3Dディスプレイを実施する必要性を回避する。第１LED表示パネルは、レンズアレイが3D出力を生成する役割を果たさないように、単にオフにされることができる。その場合、第２LED表示パネルは望ましい2D画像を生成する。
2013534648.tif 000002
【特許請求の範囲】
【請求項１】
二次元表示モード及び/又は自動立体視表示モードで動作可能な自動立体視表示装置であって、
第１発光ダイオード表示パネル、
観察者に立体視画像を提供するように表示ピクセルの光出力を導くために前記表示パネル上に配置されるレンズ素子のアレイであって、前記レンズ素子の焦点距離に大体等しい距離により前記第１発光ダイオード表示パネルから間隔を置いて配置されるレンズ素子のアレイ、
前記第１発光ダイオード表示パネルからの出力の経路に配置される第２発光ダイオード表示パネル、
を有し、
前記第２発光ダイオード表示パネルは、少なくとも半透明なオフモード及び画像表示オンモードを有する、装置。
【請求項２】
自動立体視表示モードと二次元表示モードとの間で切り替え可能である、請求項１に記載の装置。
【請求項３】
前記レンズ素子のアレイと前記第１発光ダイオード表示パネルとの間の偏光子、及び、前記レンズ素子のアレイと前記第１発光ダイオード表示パネルとの間の偏光状態を変更するためのリダーダをさらに有し、前記第１発光ダイオード表示パネルが後部反射体を有する、請求項１又は請求項２に記載の装置。
【請求項４】
前記リターダが1/4波長板を有する、請求項３に記載の装置。
【請求項５】
前記偏光子が直線偏光子である、請求項３又は請求項４に記載の装置。
【請求項６】
前記第１発光ダイオード表示パネルが後部吸収体を有する、請求項１に記載の装置。
【請求項７】
前記レンズ素子のアレイが、複数のビューを生成してそれらを異なる横方向に導くためのレンチキュラ・アレイを有する、請求項１から請求項６のいずれか一項に記載の装置。
【請求項８】
前記レンズ素子のアレイが前記第１発光ダイオード表示パネルと前記第２発光ダイオード表示パネルとの間にある、請求項１から請求項７のいずれか一項に記載の装置。
【請求項９】
前記レンズ素子のアレイが、前記第１発光ダイオード表示パネルに対して前記第２発光ダイオード表示パネルの反対側にある、請求項１から請求項７のいずれか一項に記載の装置。
【請求項１０】
前記第２発光ダイオード表示パネルと前記レンズ素子のアレイとの間の間隔が、前記レンズ素子の焦点距離未満である、請求項９に記載の装置。
【請求項１１】
二次元表示モード及び/又は自動立体視表示モードで動作可能な自動立体視表示装置を動作させる方法であって、
前記自動立体視表示モードにおいて、複数のビューを出力するために第１発光ダイオード表示パネルを使用し、レンズ素子の焦点距離に大体等しい距離により前記第１発光ダイオード表示パネルから間隔をおいて配置されるレンズ素子のアレイを通してこれらを投射し、第２発光ダイオード表示パネルを、前記第１発光ダイオード表示パネルからの出力が当該第２発光ダイオード表示パネルを通過するように、少なくとも半透明なオフモードで動作させ、
前記二次元表示モードにおいて、前記第１発光ダイオード表示パネルをオフに切り替えて、１つの二次元画像を出力するために前記第２発光ダイオード表示パネルを用いる、方法。
【請求項１２】
前記レンズ素子のアレイと前記第１発光ダイオード表示パネルとの間に偏光子とリターダを配置し、前記第１発光ダイオード表示パネルに後部反射体を設けることによって、前記第１発光ダイオード表示パネルからの反射を減衰させる、請求項１１に記載の方法。
【請求項１３】
前記第１発光ダイオード表示パネルが三次元画像コンテンツを提供し、前記第２発光ダイオード表示パネルがオーバレイされる二次元画像コンテンツを提供して、二次元表示モードと自動立体視表示モードとを組み合わせて前記装置を動作させる、請求項１１又は請求項１２に記載の方法。
【発明の詳細な説明】
【技術分野】
【０００１】
本発明は、表示を生成するための表示ピクセルのアレイを有する表示パネル、及び、表示パネル上に配置される、レンチキュラ素子のような複数の画像形成手段を有し、画像形成手段を通して表示ピクセルが観察されるタイプの自動立体視表示装置に関する。
【背景技術】
【０００２】
既知の自動立体視表示装置がGB2196166Aにおいて説明される。この既知の装置は、表示を生成する空間光変調器として作用する表示ピクセルのロウとカラムのアレイを有する二次元液晶表示パネルを含む。互いに平行に延在する細長いレンチキュラ素子のアレイが表示ピクセル・アレイの上に横たわり、表示ピクセルはこれらのレンチキュラ素子を通して観察される。
【０００３】
レンチキュラ素子は、それぞれが細長い半円柱状のレンズ素子から成る素子のシートとして提供される。レンチキュラ素子は表示パネルのカラム方向に延在し、各々のレンチキュラ要素は、表示ピクセルの２つ以上の隣接するカラムのそれぞれのグループの上に横たわる。
【０００４】
例えば、各々のレンチキュラが表示ピクセルの２つのカラムと関連付けられる配置において、各々のカラムにおける表示ピクセルは、それぞれの二次元サブ画像の垂直スライスを提供する。レンチキュラ・シートは、これらの２つのスライス及び他のレンチキュラと関連付けられた表示ピクセル・カラムからの対応するスライスを、シートの前に位置するユーザの左及び右目に導き、ユーザは１つの立体画像を観察する。したがって、レンチキュラ素子のシートは、光出力指向機能を提供する。
【０００５】
他の配置において、各々のレンチキュラは、ロウ方向において４つ以上の隣接する表示ピクセルのグループに関連付けられる。各々のグループ中の表示ピクセルの対応するカラムは、それぞれの二次元サブ画像からの垂直スライスを提供するように適切に配置される。ユーザの頭部が左から右に動くと、一連の連続した異なる立体視が知覚されて、例えば、見回したような印象を与える。
【０００６】
上記した装置は、効果的な三次元表示装置を提供する。しかしながら、いうまでもなく、立体視を提供するために、装置の水平解像度の犠牲が必要である。解像度におけるこの犠牲は、近い距離からの観察のための小さいテキスト文字の表示のような特定のアプリケーションにとって容認できない。この理由のために、二次元モードと三次元(立体視)モードとの間で切替可能である表示装置を提供することが提案された。
【０００７】
この切り替え機能は、上記のレンチキュラ・ディスプレイのタイプにおいて実施されることができる。二次元モードにおいて、切替可能な装置のレンチキュラ素子は、「通過」モードで動作し、すなわち、それらは、光学的に透明な材料の平坦なシートと同様に作用する。結果として生じる表示は、表示パネルの本来の解像度と同じ高解像度を有し、短い観察距離からの小さいテキスト文字の表示のために適している。二次元表示モードは、もちろん、立体画像を提供することができない。
【０００８】
三次元モードにおいて、切替可能な装置のレンチキュラ素子は、上述のように、光出力指向機能を提供する。結果として生じる表示は、立体画像を提供することが可能であるが、上記の言及される不可避な解像度損失を被る。
【０００９】
切替可能な表示モードを提供するために、切替可能な装置のレンチキュラ素子は、偏光した光に対して２つの異なる値の間で切替可能である屈折率を有する、液晶材料のような電気光学材料で形成される。そして、装置は、レンチキュラ素子の上下に提供された電極層に適切な電位を印加することによって、モード間で切り替えられる。電位は、隣接する光学的に透明な層の屈折率に対して、レンチキュラ素子の屈折率を変更する。別の態様では、隣接する光学的に透明な層が、電気光学材料で形成されることができ、光学的に透明な層に対するレンチキュラ素子の屈折率が変更されるという同じ結果が得られる。
【００１０】
2D/3D切替可能なシステムは、偏光眼鏡又はシャッター眼鏡のような眼鏡に基づくシステムのような、他のディスプレイ技術を用いて実施されることができる。この場合には、眼鏡を外すとフル解像度の2Dモードが得られ、眼鏡を着けると3Dモードが得られる。切替可能なバリア・システムが、切替可能なレンチキュラ・システムの代わりに用いられることができる。
【発明の概要】
【発明が解決しようとする課題】
【００１１】
切替可能なLCレンチキュラに関する問題は、標準的なLCDパネルの製造と比べて、LCD製造プロセスに対する大きな調節が必要とされることである。しかしながら、切替可能な自動立体視技術は、眼鏡に基づくシステムよりもユーザによって好まれる。
【課題を解決するための手段】
【００１２】
表示の自動立体視モードと二次元モードとの間で切替可能である自動立体視表示装置を提供することが本発明の目的である。
【００１３】
本発明は、独立請求項によって定められる。従属請求項は、有利な実施の形態を提供する。
【００１４】
本発明によれば、請求項1において定義される表示装置が提供される。
【００１５】
この配置は、切替可能なレンズアレイが切替可能な2D/3D表示を実施する必要性を回避する。レンズアレイが3D出力を生成する役割を果たさないように、第１LED表示パネルが単にオフにされることができる。その場合、第２LED表示パネルが望ましい2D画像を生成する。第２パネルからの光は観察者に直接又はレンズアレイを通して提供されるが、レンズアレイはビューを生成するために適切な態様で第２LED表示パネルから離れていないので、レンズ作用は出力に影響を及ぼさない。したがって、本発明のこのディスプレイは、低コスト・プロセスによって製造されることができる。
【００１６】
１つの実施態様において、偏光子が、レンズ素子のアレイと第１LED表示パネルとの間に提供され、偏光状態を変更するためのリターダが、レンズ素子のアレイと第１LED表示パネルとの間にある。そして第１LEDパネルは後部反射体を有する。この配置は、(表示のコントラストを改善するために)反射を吸収する。特に、リターダは１/４波長板であることができ、そして、偏光子は直線偏光子であることができる。
【００１７】
他の実施態様において、第１LEDパネルは、後部吸収体を有する。これは、偏光に基づくコンポーネントを必要とせずに反射が吸収されることを可能にする。
【００１８】
レンズ素子のアレイは、好ましくは、複数のビューを生成して、異なる横方向にそれらを導くためのレンチキュラ・アレイを含む。
【００１９】
レンズのアレイは、第１及び第２LED表示パネルの間にあるか、又は、第１LED表示パネルに対して第２LED表示パネルの反対側にあることができる。
【００２０】
本発明は、自動立体視表示装置を動作させる方法を提供し、当該方法は、 3Dモードにおいて、複数のビューを出力するために第１LED表示パネルを使用し、レンズ素子の焦点距離(f)と大体等しい距離だけ第１LED表示パネル(30)から間隔を置いて配置される切替不可能レンズ素子のアレイによりこれらを投射し、少なくとも半透明なオフモードで、第２LED表示パネルを動作させて、第１LED表示パネルからの出力が第２LED表示パネル(34)を通過し、2Dモードにおいて、第１LED表示パネルをオフに切り替えて、１つの2D画像を出力するために第２LED表示パネルを用いる。
【００２１】
この装置は、第１LED表示パネルが3D画像コンテンツを提供し、第２LED表示パネルがオーバレイされた2D画像コンテンツを提供する、2D/3D複合モードで動作されることができる。
【００２２】
本発明の実施の形態は、ここで、添付の図面を参照して、単に一例として説明される。
【図面の簡単な説明】
【００２３】
【図１】動作原理を説明する既知の自動立体視表示装置の概略斜視図。
【図２】周囲光の反射が抑制される既知のOLED表示を示す図。
【図３】本発明の表示装置の第１の実施例を示す図。
【図４】本発明の表示装置の第２の実施例を示す図。
【図５】本発明の表示装置の第３の実施例を示す図。
【発明を実施するための形態】
【００２４】
本発明は、第１LED表示パネル、切替不可のレンズ素子のアレイ及び第２LED表示パネルを有する切替可能な自動立体視表示装置を提供する。この配置は、切替可能な2D/3Dディスプレイを実現するための切替可能なレンズアレイの必要性を回避する。レンズアレイが3D出力を生成する役割を果たさないように、第１LED表示パネルは単にオフにされることができる。その場合、第２LED表示パネルは、望ましい2D画像を生成する。
【００２５】
図1は、既知のLCに基づくシステムの動作原理を説明する既知の切替可能な自動立体視表示装置1の概略斜視図である。表示装置1は、拡張された形態で示される。
【００２６】
既知の装置1は、表示を生成する空間光変調器として作用するアクティブなマトリックス型の液晶表示パネル3を含む。表示パネル3は、ロウとカラムで配置される表示ピクセル5の直交アレイを有する。明確にするため、少数の表示ピクセル5のみが図に示される。実際には、表示パネル3は、表示ピクセル5の約千のロウ及び数千のカラムを有する。
【００２７】
液晶表示パネル3の構造は全面的に従来通りである。特に、パネル3は、一対の間隔を置いて配置された透明なガラス基板を含み、それらの間に、整列配置されたツイステッドネマチック又は他の液晶材料が提供される。基板は、それらの対向面上に透明インジウムスズ酸化物(ITO)電極のパターンを担持する。
さらに偏光レイヤが基板の外側表面に提供される。
【００２８】
各々の表示ピクセル5は、基板上に対向する電極を含み、それらの間に液晶材料が介在する。表示ピクセル5の形状及びレイアウトは、電極の形状及びレイアウトによって決定される。表示ピクセル5は、ギャップによって互いから規則正しく間隔を置いて配置される。
【００２９】
各々の表示ピクセル5は、スイッチング素子(例えば薄膜トランジスタ(TFT)又は薄膜ダイオード(TFD))に結合される。表示ピクセルは、スイッチング素子にアドレス指定信号を提供することによって表示を生成するように動作し、適切なアドレス指定方法は当業者に知られている。
【００３０】
表示ピクセル5間のギャップは、不透明な黒いマスクによって覆われる。マスクは、光吸収材料のグリッドの形で提供される。マスクは、スイッチング素子を覆い、個々の表示ピクセル領域を定める。
【００３１】
表示パネル3は、この場合には表示ピクセル・アレイの領域の上に広がる平面バックライトからなる光源7によって照射される。光源7からの光は、表示パネル3を通して導かれ、個々の表示ピクセル5は光を変調して表示を生成するように駆動される。
【００３２】
表示装置1は、表示パネル3の表示側に配置されるレンチキュラ素子配置9を含み、この配置は、選択的にビュー形成機能を実行するように制御可能である。レンチキュラ素子配置9は互いに平行に延在するレンチキュラ素子11のアレイを含み、明確性のために、そのうちの１つのみが誇張された大きさで示される。
【００３３】
レンチキュラ素子配置9は、対向面上に提供されるインジウムスズ酸化物(ITO)で形成される透明電極層を有する一対の透明ガラス基板を含む。各々の電極層は複数の平行な細長い電極の形であり、それぞれの異なる層の電極は互いに対して垂直に配置される。複製技術を用いて形成される逆レンチキュラ構造が、基板のうちの上の１つに隣接して基板間に提供される。ネマチック液晶材料が基板間に提供されて、レンチキュラ・レンス形状を定める。この材料は、（レンズ境界における）レンズ作用がオン／オフされることができるように、状態間で切り替え可能である。
【００３４】
数年後には、OLEDが、超薄で、非常に高速であり、光効率が良く、非常に高解像度にすることができるので、有力なディスプレイ技術になることが予想される。しかしながら、現在、この技術を用いて切替可能な3Dディスプレイを作成するためのいかなる適切なアプローチも存在しない。既知の切替可能なLCレンチキュラが用いられることができるようにOLED表示出力を偏光させることは可能であるが、これは依然としてLCに基づく光学素子を必要とし、したがって、そもそもOLED技術を用いる利点をなくす。
【００３５】
本発明は、LC技術を必要としない切替可能な3D OLEDディスプレイを提供する。
一方が透明な２つのOLEDパネルを積み重ねることによって、どちらか一方のパネルをオンに切り替えることにより、2Dモードと3Dモードとを切り替えることが可能である。このディスプレイは、固定された切替不可のレンチキュラと組み合わせられる。以下で説明されるように、１つの実施例において、リターダ・フィルム及び偏光子シートが用いられるが、これらは全て、大量処理技術によって作成されることができるコンポーネントである。
【００３６】
用語「OLEDディスプレイ(有機発光ダイオードディスプレイ)」は、時には発光ポリマ(LEP)及び有機エレクトロ・ルミネセンス(OEL)として記述される技術を含むことを意図する。発光ダイオード(LED)は、有機化合物のフィルムで構成される放射性エレクトロルミネセンス層を有する。この層は、通常、適切な有機化合物が堆積することを可能にするポリマ物質を含む。それらは、一般的に、単純な「印刷」プロセスによって平坦なキャリア上へロウ及びカラムとして堆積される。結果として生じるピクセルのマトリックスは、異なる色の光を放射することができる。
【００３７】
テレビジョン・スクリーン、コンピュータ・モニタ、小型の携帯システム画面(例えば携帯電話及びPDA ) 、広告、情報及び標識においてOLEDディスプレイ技術を用いることは公知である。OLEDは、一般的な空間照明のための光源及び大面積発光素子に用いられることもできる。OLEDは、一般的に、点光源用として通常設計される無機固体ベースLEDよりも、単位領域あたりに放射する光が少ない。
【００３８】
従来の液晶ディスプレイ(LCD)を超えるOLEDディスプレイの重要な利点は、OLEDは、機能するためにバックライトを必要としないことである。したがって、それらは、深い黒レベルを表示することができ、はるかに少ない電力を使用し、LCDパネルよりかなり薄くかつ軽くなることができる。OLEDディスプレイは、LCDモニタよりかなり高いコントラスト比を自然に達成する。
【００３９】
OLEDディスプレイの最も一般的な種類は、トップエミッション型（top-emitting）ディスプレイの種類である。この場合には、下部基板は、電極として作用して下に放射される光を反射する非常に高い反射率の媒体により覆われるか又は作成される。この反射下部層は、表示の日光コントラストがひどく低下するという重大な短所を有する。
【００４０】
これは、日光の反射を除去するために表示の前に1/4波長板及び偏光子を配置することによって改善されることができる。この配置が図2に示される。
【００４１】
入力光20は無偏光である(すなわちランダムに偏光する)。それは、直線偏光子22を通過し、そして１/４波長板の形のリターダを通過する。この例では、リターダは、出力が円偏光であるように、偏光子の透過軸に対して45°に位置合わせされる。したがって、直線偏光子及びリターダは合わせて円形偏光子として機能する。反射面26(この場合には基板がミラーである)による反射に応じて、円形偏光の掌性が変更され、そして、示されるように、反射された光は最終的には偏光子22によってロックされる。
【００４２】
このようにして、周囲の光の望ましくない反射が回避される。
【００４３】
OLEDディスプレイの他の種類は、透明ディスプレイである。この場合には、ディスプレイの下側基板及び上側基板の両方が透明材料で作成される。まだ成熟していないが、作業用のプロトタイプは主要なディスプレイ会議で公開された。
【００４４】
本発明は、切替可能なLCコンポーネントも必要としない切替可能な自動立体視ディスプレイを提供するために、これら２つの種類のLEDディスプレイを組み合わせる。本発明の表示装置の第１の実施例が図3に示される。
【００４５】
表示装置は、第１LED表示パネル30、及び、立体画像を提供するように表示ピクセルの光出力を導くための第１表示パネル30上に配置される切替不可のレンズ素子のアレイ32を含む。レンズ素子のアレイは、レンズ素子の焦点距離fにほぼ等しい距離によって、第１LED表示パネルから間隔を置いて配置される。
【００４６】
第２LED表示パネル34は第１LED表示パネルよりレンズ素子のアレイ32に近く、第２LEDパネルは、透明オフモード及び画像表示オンモードを有する。
【００４７】
このようにして、透明第２OLEDパネルは、トップエミッション型の第１OLEDパネル上に積み重ねられる。レンチキュラは、レンチキュラの焦点面がトップエミッション型パネル30の位置に大体あるように配置される。
【００４８】
図３の例において、トップエミッション型パネル30は、図２を参照して説明されたように、（透明OLEDディスプレイからの後方照射と同様に）望ましくない反射を除去するために、偏光子36及び1/4波長板38を備える。
【００４９】
このディスプレイは以下のように動作する。
【００５０】
2Dモードのために、透明OLEDパネル34はオンに切り替えられ、トップエミッション型OLEDパネル30はオフに切り替えられる。観察者へと投射される光はいかなる光学素子も通過せず、したがって、完全な2Dにモードを与える。透明パネル34によって後方に放射される光は、トップエミッション型パネル上の偏光子及びリターダによって事実上吸収される。レンチキュラは、可能な限り光を反射しないように設計される。
【００５１】
3Dモードのために、トップエミッション型OLEDパネル30はオン切り替えられ、透明OLEDパネル34はオフに切り替えられる。トップエミッション型ディスプレイからの光はレンズによってコリメートされて、3D表示のための複数のビューを生成する。レンチキュラの次に、光は、屈折することなく透明OLEDパネルを通過する。
【００５２】
図3の実施の形態に対する変形例では、レンチキュラ・アレイ32がトップエミッション型OLED 30上に直接配置されることができる。そして、1/4波長板38、偏光子36及び透明OLED34は、図3と同じ順序で配置される。これは、広い観察角に対応する非常に短い焦点距離を有するレンチキュラ・アレイのレンズに適している。
【００５３】
図4は、図3と全て同じコンポーネントを有する第２の実施の形態を示す。第１の実施の形態に対する唯一の差異は、透明OLED34がレンチキュラ32の後ろにシフトされることである。
【００５４】
ディスプレイは、基本的に同じ態様で機能する。2Dモードにおいて、透明OLEDパネル34はここでもオンに切り替えられ、トップエミッション型OLEDパネル30はオフに切り替えられる。レンズ中を伝播する透明OLED34からの光は複数のビューを生成せず、したがって、ディスプレイは2Dモードであるように見える。しかしながら、この2Dモードの視覚的品質は、図3の実施例の2Dモードの品質より低い。レンズの焦点距離はもはやOLEDパネルへの経路長に対応せず、ビューはレンズによって生成されない。
【００５５】
どんな反射された光もピクセル面の後方の位置から来るように見えるので、特にこの設計においてディスプレイ34の後方へと放射される光をブロックすることが重要である。偏光子及びリターダは、周囲の光と同じ態様で後方から放射される光を吸収するために再び用いられる。
【００５６】
3Dモードにおいて、トップエミッション型OLEDはオンに切り替えられ、透明OLEDパネルはオフに切り替えられる。トップエミッション型ディスプレイからの光は偏光しておらず、偏光子を通過した後には直線に偏光している。
【００５７】
レンズはピクセルからの光をコリメートし、そして3D表示のための複数のビューを生成する。
【００５８】
OLEDパネル間に円形偏光子（直線偏光子及び1/4波長板の組み合わせ）を用いることにより、外部光からの反射は、効果的に除去される。これは、円形偏光子を備えるトップエミッション型OLEDディスプレイと同様のコントラストを装置が有することを可能にする。
【００５９】
表示の輝度は、円形偏光子を備えている従来のトップエミッション型OLEDディスプレイの輝度と同様である。これは、提案されたディスプレイが、一つの方向（2Dモード）に、又は、偏光子及び透明ディスプレイを通して複数の方向に（3Dモード）、光を放射するからである。従来のトップエミッション型OLEDディスプレイは、偏光子からその光の半分を放つ。
【００６０】
図5は、第３の実施の形態を示す。
【００６１】
この配置は２つの透明OLEDパネル50, 34を用いるが、下側OLEDパネル50の裏面は吸収性である（黒い）。この場合には、偏光子及び1/4波長板はコストを低減するために省略されることができ、切替不可のレンチキュラ・アレイのみがOLEDディスプレイ34, 50間にある。この配置は、下側OLEDディスプレイ50の光効率的が低いという短所を有する。
【００６２】
上側OLEDディスプレイ34は、上記の実施例のように透明装置である。透明OLEDディスプレイ34及びレンチキュラの位置は、ここでも交換されることができる。
【００６３】
２つの表示パネルのピクセルは、等しいサイズ及びピクセル・レイアウトを有することができる。しかしながら、これは本発明のための必要ではない。ディスプレイは、セグメント化2D／3Dディスプレイとして配置されることができる。
【００６４】
同時に２つのパネルのピクセルをオンに切り替えることによって、低い解像度の3Dディスプレイを高い解像度の2Dディスプレイと組み合わせることも可能である。これは、ディスプレイ面における高解像度を必要とするテキスト・アプリケーション（例えば字幕）のために用いられることができる。
【００６５】
レンチキュラ・レンズアレイは、一般的に、少なくとも3つのビュー（例えば5、9又は15つのビュー）を生成する。各々のレンズの下の異なるピクセルが異なる横方向の位置に結像されるように、レンズのピッチは複数のピクセルに対応する。レンズは、垂直か又は傾斜されることができる。レンズを傾斜させることは、ロウとカラム方向との間で解像度の低減を分配するために用いられることができる。これらの手段は周知である。
【００６６】
第２OLEDは透明であると説明される。もちろん、完全な透明度は可能ではなく、この用語は、入射光の少なくとも30%が通過することができ、より好ましくは、少なくとも40%又は50%の光が通過することを意図する。透明度は、反射損だけでなく、使用される材料の不完全な透明度と同様に、各々のピクセル中の非透過TFTの存在によって制限される。トップエミッション型OLEDパネル30の輝度が十分である場合には、30%の透明度は、システムが依然として機能することを可能にする。適切な透明OLEDパネルは市販されている。もちろん、透明度がより大きいほど、3Dモードにおけるシステムは、より効率的である。
【００６７】
図面、開示及び添付の請求の範囲の検討から、開示された実施の形態に対する他のバリエーションは、請求された発明を実施する際に、当業者によって理解され、遂行されることができる。請求の範囲において、「有する」「含む」等の用語は、他の要素又はステップを除外せず、単数表現は複数を除外しない。単に特定の手段が相互に異なる従属請求項中に列挙されているからといって、これらの手段の組み合わせが有効に用いられることができないことを意味しない。請求の範囲におけるいかなる参照符号も範囲を制限するものとして解釈されてはならない。
【図１】
2013534648.tif 000003
【図２】
2013534648.tif 000004
【図３】
2013534648.tif 000005
【図４】
2013534648.tif 000006
【図５】
2013534648.tif 000007
【国際調査報告】
2013534648.tif 000008
2013534648.tif 000009
2013534648.tif 000010